(57)【要約】【課題】麦芽発酵飲料の泡持ちを直接測定することなく、麦芽発酵飲料に使用する大麦の種子、麦芽、麦汁又は麦芽発酵飲料等に含まれる所定のタンパク質の濃度から泡持ちの良さを判定可能とすること。麦芽発酵飲料の泡持ち判定用マーカーを提供すること。【解決手段】本発明は、麦芽発酵飲料の泡持ちの良さの判定方法であって、麦芽発酵飲料に使用する大麦の種子、その種子から得た麦芽、その麦芽から得た麦汁、その麦汁を発酵させて得た麦芽発酵飲料又はその麦芽発酵飲料の発酵前原料液若しくは発酵中原料液に含まれるプロテインＺ７の濃度（ＭＺ７）を泡持ちに対する負の要因として、泡持ちの良さを判定する判定方法を提供する。【選択図】なし【特許請求の範囲】
【請求項１】
麦芽発酵飲料の泡持ちの良さの判定方法であって、
前記麦芽発酵飲料に使用する大麦の種子、前記種子から得た麦芽、前記麦芽から得た麦汁、前記麦汁を発酵させて得た麦芽発酵飲料又は前記麦芽発酵飲料の発酵前原料液若しくは発酵中原料液に含まれるプロテインＺ７の濃度（ＭＺ７）を前記泡持ちに対する負の要因として、前記泡持ちの良さを判定する判定方法。
【請求項２】
前記濃度（ＭＺ７）に負の係数を乗じた数値が大きい方の麦芽発酵飲料を泡持ちが良い麦芽発酵飲料であると判定する、請求項１記載の判定方法。
【請求項３】
前記数値を、
ａ−ｂ×ＭＺ７
（但し、ａは正の数、負の数又は０であり、ｂは正の数である。）
として算出する、請求項２記載の判定方法。
【請求項４】
前記ａ及びｂは、前記ＭＺ７を変数としたときの、麦芽発酵飲料のＮＩＢＥＭ値を予測する単回帰式の単回帰係数である、請求項３記載の判定方法。
【請求項５】
プロテインＺ７からなる、麦芽発酵飲料の泡持ち判定用マーカー。
【発明の詳細な説明】
【技術分野】
【０００１】
本発明は、麦芽発酵飲料の泡持ちの良さの判定方法及び泡持ち判定用マーカーに関する。
【背景技術】
【０００２】
ビール等の麦芽発酵飲料の泡は、薄い液体の膜に包まれた炭酸ガスの気泡の集合体であり、気が抜けたり、香味が変化したりするのを防ぐ蓋の役目をするほか、香り立ちを向上させる働きがある。このため、麦芽発酵飲料の泡持ちは、麦芽発酵飲料の品質を判断する重要な要素の１つとされ、麦芽発酵飲料の泡持ちを良くするための研究がされている。
【０００３】
麦芽発酵飲料の泡持ちの良さは、２０℃の麦芽発酵飲料を泡注ぎ出し機で標準グラスに注いで生じる泡の高さが３０ｍｍ降下するのに要する時間（秒）を判定基準とし、この時間（秒）のことをＮＩＢＥＭ値と呼んでいる。
【０００４】
これまでに、大麦に含まれるＬＴＰ−１やホルデインが麦芽発酵飲料の泡持ちに関与するタンパク質として報告されている（非特許文献１及び２）。
【０００５】
最近では、ゲノム情報を基にタンパク質を網羅的に解析するプロテオミクスを利用した研究が行われており、麦芽発酵飲料の原料となる大麦においては、麦芽特性と二次元電気泳動パターンとを比較して、標的とする麦芽特性に関与するタンパク質を絞り込む試みがなされている（非特許文献３〜５）。
【０００６】
【非特許文献１】Ｂａｍｆｏｒｔｈら、２００４年、Ｊ．Ｓｃｉ．Ｆｏｏｄ  Ａｇｒｉｃ．、８４巻、ｐ．１００１−１００４
【非特許文献２】Ｖａｎ  Ｎｉｅｒｏｐら、２００４年、Ｊ．Ａｇｒｉｃ．Ｆｏｏｄ．Ｃｈｅｍ．、５２巻、ｐ．３１２０−３１２９
【非特許文献３】Ｏｓｔｅｒｇａａｒｄら、２００４年、Ｐｒｏｔｅｏｍｉｃｓ、４巻、ｐ．２４３７−２４４７
【非特許文献４】Ｓａｓｓ  Ｂａｋ−Ｊｅｎｓｅｎら、２００４年、Ｐｒｏｔｅｏｍｉｃｓ、４巻、ｐ．７２８−７４２
【非特許文献５】ＦｉｎｎｉｅとＳｖｅｎｓｓｏｎ、２００４年、Ｐｒｏｃ．９ｔｈ  Ｉｎｔｅｒｎａｔｉｏｎａｌ  Ｂａｒｌｅｙ  Ｇｅｎｅｔｉｃｓ  Ｓｙｍｐｏｓｉｕｍ、ｐ．４３１−４３６
【発明の開示】
【発明が解決しようとする課題】
【０００７】
しかしながら、麦芽発酵飲料の泡持ちの良さの判定基準であるＮＩＢＥＭ値は、温度、天候、さらには人為的な要因が大きく影響するため、異なる条件で測定されたＮＩＢＥＭ値を相互に比較して泡持ちの良さを判定することは困難である。
【０００８】
また、大麦中のＬＴＰ−１やホルデインは、麦芽発酵飲料の泡持ちに関連することが報告されているが、ＮＩＢＥＭ値との相関関係については明らかとされておらず、泡持ちを判定する汎用性のあるマーカーとして実用化されるには至っていない。
【０００９】
さらに、大麦においてもプロテオミクス研究は推進されているが、麦芽発酵飲料の泡持ちに関連する新たなタンパク質は見出されていない。
【００１０】
そこで、本発明の目的は、麦芽発酵飲料の泡持ちを直接測定することなく、麦芽発酵飲料に使用する大麦の種子、麦芽、麦汁又は麦芽発酵飲料等に含まれる所定のタンパク質の濃度から泡持ちの良さを判定可能とすることにある。本発明の目的はまた、麦芽発酵飲料の泡持ち判定用マーカーを提供することにある。
【課題を解決するための手段】
【００１１】
上記目的を達成するため、本発明は、麦芽発酵飲料の泡持ちの良さの判定方法であって、麦芽発酵飲料に使用する大麦の種子、その種子から得た麦芽、その麦芽から得た麦汁、その麦汁を発酵させて得た麦芽発酵飲料又はその麦芽発酵飲料の発酵前原料液若しくは発酵中原料液に含まれるプロテインＺ７の濃度（ＭＺ７）を泡持ちに対する負の要因として、泡持ちの良さを判定する判定方法を提供する。
【００１２】
本発明者らは、プロテオミクスをツールとしてビール中のタンパク質を解析し、ＮＩＢＥＭ値の高い泡持ちの良いビールでは、プロテインＺ７の濃度が低いことを明らかにした。さらに、プロテインＺ７の濃度とＮＩＢＥＭ値との相関関係を統計的に解析した結果、プロテインＺ７の濃度を麦芽発酵飲料の泡持ちの良さの判定に利用できることを見出した。
【００１３】
上記判定方法では、大麦の種子、麦芽、麦汁、麦芽発酵飲料又は麦芽発酵飲料の発酵前原料液若しくは発酵中原料液に含まれるプロテインＺ７の濃度を測定すれば、ＮＩＢＥＭ値を測定することなく泡持ちの良さを判定することができる。また、プロテインＺ７の濃度の測定は、温度、天候、さらには人為的な要因の影響を排除して行うことができるため、ＮＩＢＥＭ値の測定と比べて汎用性があり、かつ、正確な泡持ちの良さの判定を実現できる。
【００１４】
上記判定方法は、上記濃度（ＭＺ７）に負の係数を乗じた数値が大きい方の麦芽発酵飲料を泡持ちが良い麦芽発酵飲料であると判定することが好ましい。
【００１５】
この数値は、ａ−ｂ×ＭＺ７（但し、ａは正の数、負の数又は０であり、ｂは正の数である。）として算出することが好ましく、ＮＩＢＥＭ値と比例関係にある値として麦芽発酵飲料の泡持ちの良さの判定に使用できる。
【００１６】
さらに上記ａ及びｂは、ＭＺ７を変数としたときの、麦芽発酵飲料のＮＩＢＥＭ値を予測する単回帰式の単回帰係数であることが好ましい。
【００１７】
この場合には、ＮＩＢＥＭ値測定用の専用装置及び標準グラス等を使用してＮＩＢＥＭ値を直接測定することなく、プロテインＺ７の濃度（ＭＺ７）からＮＩＢＥＭ値を予測することが可能となる。また、この判定方法で測定した泡持ちの良さは、既に従来法で測定されたＮＩＢＥＭ値と比較することもできる。
【００１８】
また本発明は、プロテインＺ７からなる、麦芽発酵飲料の泡持ち判定用マーカーを提供する。
【００１９】
プロテインＺ７は、麦芽発酵飲料の泡持ちに対して負の要因として捉えることができ、麦芽発酵飲料又は麦芽発酵飲料の発酵前原料液若しくは発酵中原料液のプロテインＺ７の濃度を高めると麦芽発酵飲料の泡持ちは悪くなるため、泡持ち判定用マーカーとして利用できる。
【発明の効果】
【００２０】
本発明によれば、ＮＩＢＥＭ値を直接測定することなく泡持ちの良さの判定をすることができ、ＮＩＢＥＭ値を予測することもできる。また、本発明の泡持ちの良さの判定方法は、温度、天候、さらには人為的な要因の影響を排除して行うことができるため、ＮＩＢＥＭ値の測定と比べて汎用性があり、かつ、正確な泡持ちの良さの判定を実現できる。
【発明を実施するための最良の形態】
【００２１】
以下に、本発明の好適な実施形態について詳細に説明する。
【００２２】
本発明の判定方法は、麦芽発酵飲料の泡持ちの良さの判定方法であって、麦芽発酵飲料に使用する大麦の種子、その種子から得た麦芽、その麦芽から得た麦汁、その麦汁を発酵させて得た麦芽発酵飲料又はその麦芽発酵飲料の発酵前原料液若しくは発酵中原料液に含まれるプロテインＺ７の濃度（ＭＺ７）を泡持ちに対する負の要因として、泡持ちの良さを判定することを特徴とする。
【００２３】
本明細書における「泡持ち」とは、麦芽発酵飲料をグラスに注いだときに生じる泡が消えるまでに要する時間のことをいい、「泡持ちが良い」とは、この時間が長いことを意味し、「泡持ちが悪い」とはこの時間が短いことを意味する。また、「泡持ちの良さ」とは、泡持ちが良い又は悪いといった泡持ちの程度のことであって、対象とする麦芽発酵飲料と泡持ちを比較するときの基準のことである。「泡持ちの良さの判定方法」とは、複数の麦芽発酵飲料の泡持ちを比較して泡持ちの良し悪しを判定することをいう。
【００２４】
「麦芽発酵飲料」とは、麦芽を原料に用いて醸造した飲料のことをいい、例えば、ビール、発泡酒又は原料に麦芽を含有する雑酒が挙げられる。ビールとは、麦芽、ホップ及び水を原料として発酵させたもの又は麦芽、ホップ、水及び麦その他の政令で定める物品（麦、米、とうもろこし、こうりゃん、ばれいしょ、でんぷん、糖類、又は財務省で定める苦味料若しくは着色料）を原料として発酵させたものであって、麦芽使用率が２／３以上のものをいい、発泡酒とは、麦芽又は麦を原料の一部とした酒類で発泡性を有する酒類であって、麦芽使用率が２／３未満のものをいう。
【００２５】
「麦芽発酵飲料の発酵前原料液」とは、麦芽から麦汁を得る途中の仕込み工程から麦汁を得るまでの間の原料液若しくは煮沸前の麦汁、又は、麦汁を煮沸し、引き続き冷却し、酵母を投入する前の冷麦汁ができるまでの間の麦汁若しくは冷麦汁のことをいう。「麦芽発酵飲料の発酵中原料液」とは、上記冷麦汁に酵母を投入した後、発酵工程を経て麦芽発酵飲料となるまでの全ての発酵液のことをいう。
【００２６】
「プロテインＺ７」とは、大麦の種子又はビール中に存在するセリンプロテアーゼインヒビターであり、分子量が約４３ｋＤａのタンパク質である（ＮＣＢＩ  Ａｃｃｅｓｓｉｏｎ  ＣＡＡ６４５９９）。大麦種子中には、プロテインＺ７以外に、同じ大麦セリンプロテアーゼインヒビターのサブファミリーに属するプロテインＺ４（ＮＣＢＩ  Ａｃｃｅｓｓｉｏｎ  ＣＡＡ６６２３２）が存在し、そのアミノ酸配列は、プロテインＺ７と約７３％の相同性を有している。
【００２７】
麦芽発酵飲料に使用する大麦の種子、その種子から得た麦芽、その麦芽から得た麦汁、その麦汁を発酵させて得た麦芽発酵飲料又はその麦芽発酵飲料の発酵前原料液若しくは発酵中原料液のプロテインＺ７の濃度（ＭＺ７）は、例えば、ＥＬＩＳＡ法、ウエスタンブロッティング法、プロテインチップによる解析、アフィニティークロマトグラフィーによる定量分析等によって測定できる。
【００２８】
ＥＬＩＳＡ法又はウエスタンブロッティング法で使用する抗プロテインＺ７抗体は、発酵に使用する大麦のプロテインＺ７を特異的に認識できる抗体が好ましく、例えば、プロテインＺ７のアミノ酸配列を基に合成したペプチドを抗原として使用し、ウサギやマウス等に免疫して作成できる。尚、これらの免疫学的手法については、当業者にとっては周知であるため本明細書では詳述しない。このような方法を記載する教本としては、例えば、「Ａｎｔｉｂｏｄｉｅｓ：ａ  ｌａｂｏｒａｔｏｒｙ  ｍａｎｕａｌ」（Ｈａｒｌｏｗ  ａｎｄ  Ｌａｎｅ、１９８８年、Ｃｏｌｄ  Ｓｐｒｉｎｇ  Ｈａｒｂｏｒ  Ｌａｂｏｒａｔｏｒｙ）等を参照されたい。
【００２９】
上記判定方法は、上記濃度（ＭＺ７）に負の係数を乗じた数値が大きい方の麦芽発酵飲料を泡持ちが良い麦芽発酵飲料であると判定することが好ましく、例えば、この数値を、ａ−ｂ×ＭＺ７（但し、ａは正の数、負の数又は０であり、ｂは正の数である。）として算出できる。このａ及びｂは、ＭＺ７を変数としたときの、麦芽発酵飲料のＮＩＢＥＭ値を予測する単回帰式の単回帰係数であれば、さらに好ましく使用できる。
【００３０】
麦芽発酵飲料のＮＩＢＥＭ値を予測する単回帰式の単回帰係数は、ＮＩＢＥＭ値を測定した複数の麦芽発酵飲料について、麦芽発酵飲料に使用する大麦の種子、その種子から得た麦芽、その麦芽から得た麦汁、その麦汁を発酵させて得た麦芽発酵飲料又は麦芽発酵飲料の発酵前原料液若しくは発酵中原料液のプロテインＺ７の濃度（ＭＺ７）を測定し、各麦芽発酵飲料のＮＩＢＥＭ値を目的変数とし、上記プロテインＺ７の濃度（ＭＺ７）を説明変数として単回帰分析をすれば求めることができる。
【００３１】
また、本発明の麦芽発酵飲料の泡持ち判定用マーカーは、プロテインＺ７からなることを特徴とする。
【００３２】
プロテインＺ７は、麦芽発酵飲料の泡持ちに対して負の要因として捉えることができ、麦芽発酵飲料に使用する大麦の種子、その種子から得た麦芽、その麦芽から得た麦汁、その麦汁を発酵させて得た麦芽発酵飲料又は麦芽発酵飲料の発酵前原料液若しくは発酵中原料液のプロテインＺ７の濃度が低いと麦芽発酵飲料の泡持ちは良くなるため、この知見を利用すれば泡持ち判定用マーカーとして使用できる。これまで、プロテインＺ７が、麦芽発酵飲料の泡持ちの良さの判定に利用できることについては全く知られていなかった。
【００３３】
ここで、「泡持ち判定用マーカー」とは、麦芽発酵飲料に使用する大麦の種子、その種子から得た麦芽、その麦芽から得た麦汁、その麦汁を発酵させて得た麦芽発酵飲料又は麦芽発酵飲料の発酵前原料液若しくは発酵中原料液中での濃度がＮＩＢＥＭ値と相関性を示すタンパク質のことをいい、麦芽発酵飲料の泡持ちの良さを判定又は予測するために指標とできるタンパク質のことをいう。
【００３４】
プロテインＺ７は、麦芽発酵飲料に使用する大麦の種子、その種子から得た麦芽、その麦芽から得た麦汁、その麦汁を発酵させて得た麦芽発酵飲料又は麦芽発酵飲料の発酵前原料液若しくは発酵中原料液中に存在し、例えば、ＥＬＩＳＡ法、ウエスタンブロッティング法、プロテインチップによる解析、アフィニティークロマトグラフィーによる定量分析等によって測定できる。
【実施例】
【００３５】
本発明を以下の実施例に基づいてさらに詳細に説明するが、本発明はこれらの実施例に限定されるものではない。
【００３６】
（実施例１）ビールの原料となる大麦の種子中のプロテインＺ７の濃度とＮＩＢＥＭ値との相関関係
７種類の大麦品種（品種Ａ：はるな二条、品種Ｂ：ＣＤＣ  Ｋｅｎｄａｌｌ、品種Ｃ：あまぎ二条、品種Ｄ：ＣＤＣ  Ｃｏｐｅｌａｎｄ、品種Ｅ：北育３９号、品種Ｆ：りょうふう、品種Ｇ：Ｌｏｆｔｙ  Ｎｉｊｏ）の種子からそれぞれ麦芽を製造し、ビールの醸造に必要な麦芽以外の原料については同一の原料を使用して７種類のビールを醸造した。ビールの原料として使用した７種類の大麦品種の種子中のプロテインＺ７の濃度と７種類のビールのＮＩＢＥＭ値をそれぞれ測定し、各大麦品種の種子中のプロテインＺ７の濃度とＮＩＢＥＭ値との相関関係について調べた。
【００３７】
７種類の大麦品種の種子に含まれるプロテインＺ７の濃度は、以下のようにして定量した。まず、粉砕した各大麦品種の種子（５０ｍｇ）を、２ｍＬのスクリューキャップ付きチューブに取り、ジチオトレイトール（和光株式会社）を０．２８％含むＰＢＳ（Ｐｈｏｓｐｈａｔｅ  Ｂｕｆｆｅｒ  Ｓａｌｉｎｅ）を１ｍＬ加えて懸濁し、４℃で一晩振とうすることによりプロテインＺ７を抽出した。その後、この縣濁液を４℃で５分間、１５，０００回転で遠心分離し、得られた上清を適宜希釈して、抗プロテインＺ７抗体でプロテインＺ７濃度を定量した。抗プロテインＺ７抗体は、オーストラリアタスマニア大学のＥｖａｎｓ博士から分譲されたものであり、抗プロテインＺ７抗体を用いたプロテインＺ７の定量は、Ｅｖａｎｓ博士らの論文（Ａｍｅｒ．Ｓｏｃ．Ｂｒｅｗ．Ｃｈｅｍ．、２００３年、６１巻、ｐ．５５−６２）に従って行った。
【００３８】
また、各大麦品種の種子を単独で用いたビールの醸造については、以下の方法で行った。まず、７種類の大麦品種（品種Ａ〜Ｇ）の種子を浸麦槽で水に浸漬して水分含量を約４３％とし、発芽室で６日間発芽させ、熱風で焙燥することにより７種類の大麦品種の麦芽をそれぞれ製造した。
【００３９】
その後、各麦芽に副原料であるコーンスターチ、コーングリッツ及び米と水を加え、５０〜６０℃で２０分、６５℃で４０分、７３℃で３分間の糖化処理を行い（糖化工程）、こうして得られた麦汁にホップを加えて９０分間煮沸し、１０℃まで冷却した後に酵母を加え、１０〜１５℃で７〜１０日間アルコール発酵させた（発酵工程）。発酵終了後は、−１〜２℃で２〜３週間熟成させ、得られた発酵物をビールとしてＮＩＢＥＭ値の測定に供した。
【００４０】
ＮＩＢＥＭ値の測定は、ＨＡＦＦＭＡＮＳ社のＮＩＢＥＭ−Ｔ装置、ＩＮＰＡＣＫ２０００及びＮＩＢＥＭ値測定用の標準グラスを用いて行った。具体的には、上記の麦芽発酵飲料をそれぞれ２０℃の状態にし、泡注ぎ出し機により炭酸ガスを用いて標準グラスに注ぎ出し、生じた泡の高さの降下をＮＩＢＥＭ−Ｔ装置で追尾し、泡の高さが３０ｍｍ降下するのに要した時間（秒）をＮＩＢＥＭ値として測定した。
【００４１】
表１は、７種類の大麦品種（品種Ａ〜Ｇ）の種子に含まれるプロテインＺ７の濃度と、７種類の大麦品種の種子をそれぞれ原料として醸造した７種類のビールのＮＩＢＥＭ値とを示す表である。
【００４２】
【表１】
2008249704.tif 000002
【００４３】
図１は、ＮＩＢＥＭ値を目的変数とし、大麦の種子中のプロテインＺ７の濃度を説明変数として単回帰分析を行った結果を示すグラフである。図中の＊は、危険率５％で有意であることを示す。
【００４４】
その結果、ＮＩＢＥＭ値と大麦の種子中のプロテインＺ７の濃度との間には統計的に有意な相関関係が認められた。単回帰式は、ＮＩＢＥＭ値＝２７３．３１＋（−０．１２６×プロテインＺ７の濃度）となった（ｒ＝０．８４８）。
【００４５】
以上の結果より、大麦の種子中のプロテインＺ７の濃度は、当該大麦の種子を原料とする麦芽発酵飲料の泡持ちに対する負の要因として麦芽発酵飲料の泡持ちの良さの判定に利用でき、当該麦芽発酵飲料のＮＩＢＥＭ値を算出できることが明らかとなった。
【００４６】
（実施例２）コングレス麦汁中のプロテインＺ７の濃度とＮＩＢＥＭ値との相関関係
７種類の大麦品種（品種Ａ：はるな二条、品種Ｂ：ＣＤＣ  Ｋｅｎｄａｌｌ、品種Ｃ：あまぎ二条、品種Ｄ：ＣＤＣ  Ｃｏｐｅｌａｎｄ、品種Ｅ：北育３９号、品種Ｆ：りょうふう、品種Ｇ：Ｌｏｆｔｙ  Ｎｉｊｏ）の種子からそれぞれ麦汁を製造し、ビールの醸造に必要な麦芽以外の原料については同一の原料を使用して７種類のビールを醸造した。ビールの原料として使用した７種類の大麦品種の種子から製造したコングレス麦汁中のプロテインＺ７の濃度と７種類のビールのＮＩＢＥＭ値をそれぞれ測定し、各コングレス麦汁中のプロテインＺ７の濃度とＮＩＢＥＭ値との相関関係について調べた。
【００４７】
コングレス麦汁の製造は以下の方法で行った。実施例１に記載した手順に従って製造した各大麦品種の麦芽を粉砕し、粉砕した麦芽（５０ｇ）に２００ｍＬの水を加え、４５℃で３０分間保持した後、１分間に１℃の割合で７０℃まで加熱昇温し、７０℃に達した時点で１００ｍＬの水を加えて１時間保持した。その後、そこに水を加えて全量を４５０ｇになるようにし、ろ過して得られた麦汁をコングレス麦汁とした。
【００４８】
ビールの醸造及びＮＩＢＥＭ値の測定は、実施例１で記載した方法と同じ手順で行った。コングレス麦汁中のプロテインＺ７の濃度の定量は、それぞれの液を適宜希釈し、抗プロテインＺ７抗体によるＥＬＩＳＡ法により定量した。
【００４９】
表２は、７種類の大麦品種（品種Ａ〜Ｇ）の種子から製造したコングレス麦汁に含まれるプロテインＺ７の濃度と、７種類の大麦種子をそれぞれ原料として醸造した７種類のビールのＮＩＢＥＭ値とを示す表である。
【００５０】
【表２】
2008249704.tif 000003
【００５１】
図２は、ＮＩＢＥＭ値を目的変数とし、コングレス麦汁中のプロテインＺ７の濃度を説
明変数として単回帰分析を行った結果を示すグラフである。図中の＊は、危険率５％で有意であることを示す。
【００５２】
その結果、ＮＩＢＥＭ値とコングレス麦汁中のプロテインＺ７の濃度との間には統計的に有意な相関関係が認められた。単回帰式は、ＮＩＢＥＭ値＝２７３．０５＋（−０．９００６×プロテインＺ７の濃度）となった（ｒ＝０．８５２）。
【００５３】
以上の結果より、麦汁中のプロテインＺ７の濃度は、当該麦汁を原料とする麦芽発酵飲料の泡持ちに対する負の要因として麦芽発酵飲料の泡持ちの良さの判定に利用でき、麦汁中のプロテインＺ７の濃度を測定することにより、当該麦芽発酵飲料のＮＩＢＥＭ値を算出できることが明らかとなった。
【００５４】
（実施例３）ビール中のプロテインＺ７の濃度とＮＩＢＥＭ値との相関関係
７種類の大麦品種（品種Ａ：はるな二条、品種Ｂ：ＣＤＣ  Ｋｅｎｄａｌｌ、品種Ｃ：あまぎ二条、品種Ｄ：ＣＤＣ  Ｃｏｐｅｌａｎｄ、品種Ｅ：北育３９号、品種Ｆ：りょうふう、品種Ｇ：Ｌｏｆｔｙ  Ｎｉｊｏ）の種子からそれぞれ麦芽を製造し、ビールの醸造に必要な麦芽以外の原料については同一の原料を使用して７種類のビールを醸造した。７種類のビールに含まれるプロテインＺ７の濃度と７種類のビールのＮＩＢＥＭ値をそれぞれ測定し、ビール中のプロテインＺ７の濃度とＮＩＢＥＭ値との相関関係について調べた。
【００５５】
ビールの醸造及びＮＩＢＥＭ値の測定は、実施例１で記載した方法と同じ手順で行った。ビール中のプロテインＺ７の濃度の定量は、それぞれの液を適宜希釈し、抗プロテインＺ７抗体によるＥＬＩＳＡ法により定量した。
【００５６】
表３は、７種類の大麦品種（品種Ａ〜Ｇ）の種子を原料として醸造した７種類のビールに含まれるプロテインＺ７の濃度と、７種類のビールのＮＩＢＥＭ値とを示す表である。
【００５７】
【表３】
2008249704.tif 000004
【００５８】
図３は、ＮＩＢＥＭ値を目的変数とし、ビール中のプロテインＺ７の濃度を説明変数として単回帰分析を行った結果を示すグラフである。図中の＊＊は、危険率１％で有意であることを示す。
【００５９】
その結果、ＮＩＢＥＭ値とビール中のプロテインＺ７の濃度との間には統計的に有意な相関関係が認められた。単回帰式は、ＮＩＢＥＭ値＝２６６．５０＋（−２．８０８９×プロテインＺ７の濃度）となった（ｒ＝０．９２０）。
【００６０】
以上の結果より、ビール中のプロテインＺ７の濃度は、当該ビールの泡持ちに対する負の要因として麦芽発酵飲料の泡持ちの良さの判定に利用でき、ビール中のプロテインＺ７の濃度を測定することにより、当該麦芽発酵飲料のＮＩＢＥＭ値を算出できることが明らかとなった。
【図面の簡単な説明】
【００６１】
【図１】ＮＩＢＥＭ値を目的変数とし、大麦の種子中のプロテインＺ７の濃度を説明変数として単回帰分析を行った結果を示すグラフである。
【図２】ＮＩＢＥＭ値を目的変数とし、コングレス麦汁中のプロテインＺ７の濃度を説明変数として単回帰分析を行った結果を示すグラフである。
【図３】ＮＩＢＥＭ値を目的変数とし、ビール中のプロテインＺ７の濃度を説明変数として単回帰分析を行った結果を示すグラフである。
【図１】
2008249704.tif 000005
【図２】
2008249704.tif 000006
【図３】
2008249704.tif 000007